【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】
符号化データの送受信処理を実行する通信処理装置であり、
送信データの符号化処理を実行する送信データ処理部と、
受信データの復号化処理を実行する受信データ処理部と、
送信データおよび受信データの比較に基づいて、送信データおよび受信データのいずれかを重点処理データとして識別する主従判断部と、
前記主従判断部の識別情報に基づいて、重点処理データを処理する前記送信データ処理部または受信データ処理部いずれか一方のデータ処理部に対して処理高品質化命令を出力し、他方のデータ処理部に対して処理簡易化命令を出力する制御部とを有し、
前記送信データ処理部および受信データ処理部は、前記制御部からの制御信号に基づいて送信データの符号化態様、受信データの復号化態様を変更する処理を実行する構成であることを特徴とする通信処理装置。
【請求項２】
前記主従判断部は、送信データおよび受信データに含まれる音声データのパワーレベル比較を実行し、パワーレベルが大きい音声データを含む送信データまたは受信データのいずれかを選択して重点処理データとして識別する処理を実行する構成であることを特徴とする請求項１に記載の通信処理装置。
【請求項３】
前記送信データ処理部および受信データ処理部は、音声データの符号化部または復号化部を有し、前記制御部からの処理高品質化命令に基づいて、符号化帯域または復号化帯域の拡大処理を実行し、前記制御部からの処理簡易化命令に基づいて、符号化帯域または復号化帯域の削減処理を実行する構成であることを特徴とする請求項１に記載の通信処理装置。
【請求項４】
前記送信データ処理部および受信データ処理部は、映像データの符号化部または復号化部を有し、前記制御部からの処理高品質化命令に基づいて、符号化フレームレートまたは復号化フレームレートの増加処理を実行し、前記制御部からの処理簡易化命令に基づいて、符号化フレームレートまたは復号化フレームレートの削減処理を実行する構成であることを特徴とする請求項１に記載の通信処理装置。
【請求項５】
前記送信データ処理部および受信データ処理部は、前記制御部からの処理高品質化命令に基づいて、通信処理装置内のリソース適用率を増加させた処理を実行し、前記制御部からの処理簡易化命令に基づいて、通信処理装置内のリソース適用率を減少させた処理を実行する構成であることを特徴とする請求項１に記載の通信処理装置。
【請求項６】
前記リソース適用率は、ＣＰＵの処理時間およびメモリの使用率を含むものであることを特徴とする請求項５に記載の通信処理装置。
【請求項７】
前記通信処理装置は、
前記主従判断部の識別情報を通信先端末に対して送信し、識別情報の通知処理を実行する構成であることを特徴とする請求項１に記載の通信処理装置。
【請求項８】
前記制御部は、
通信先端末から受信する主従判断識別情報に基づいて、前記送信データ処理部および受信データ処理部いずれか一方の重点処理データ処理部に対して処理高品質化命令を出力し、他方のデータ処理部に対して処理簡易化命令を出力する構成であることを特徴とする請求項１に記載の通信処理装置。
【請求項９】
前記通信処理装置は、さらに、
送信データおよび受信データのいずれかを重点処理データとして任意に設定可能なスイッチ手段を有し、
前記制御部は、前記スイッチ手段の設定情報に基づいて、前記重点処理データを処理する前記送信データ処理部または受信データ処理部いずれか一方のデータ処理部に対して処理高品質化命令を出力し、他方のデータ処理部に対して処理簡易化命令を出力することを特徴とする請求項１に記載の通信処理装置。
【請求項１０】
符号化データの送受信を実行する通信処理方法であり、
送信データおよび受信データの比較に基づいて、送信データおよび受信データのいずれかを重点処理データとして識別する主従判断ステップと、
前記主従判断ステップにおける識別情報に基づいて、重点処理データを処理する前記送信データ処理部または受信データ処理部いずれか一方のデータ処理部に対して処理高品質化命令を出力し、他方のデータ処理部に対して処理簡易化命令を出力する制御ステップと、
前記送信データ処理部および受信データ処理部において、前記処理高品質化命令または処理簡易化命令に基づいて送信データの符号化態様、受信データの復号化態様を変更する処理を実行する処理変更ステップと、
を有することを特徴とする通信処理方法。
【請求項１１】
前記主従判断ステップは、送信データおよび受信データに含まれる音声データのパワーレベル比較を実行し、パワーレベルが大きい音声データを含む送信データまたは受信データのいずれかを選択して重点処理データとして識別する処理を実行することを特徴とする請求項１０に記載の通信処理方法。
【請求項１２】
前記送信データ処理部および受信データ処理部は、音声データの符号化部または復号化部を有し、前記処理高品質化命令に基づいて、符号化帯域または復号化帯域の拡大処理を実行し、前記処理簡易化命令に基づいて、符号化帯域または復号化帯域の削減処理を実行することを特徴とする請求項１０に記載の通信処理方法。
【請求項１３】
前記送信データ処理部および受信データ処理部は、映像データの符号化部または復号化部を有し、前記処理高品質化命令に基づいて、符号化フレームレートまたは復号化フレームレートの増加処理を実行し、前記処理簡易化命令に基づいて、符号化フレームレートまたは復号化フレームレートの削減処理を実行することを特徴とする請求項１０に記載の通信処理方法。
【請求項１４】
前記送信データ処理部および受信データ処理部は、前記処理高品質化命令に基づいて、通信処理装置内のリソース適用率を増加させた処理を実行し、前記処理簡易化命令に基づいて、通信処理装置内のリソース適用率を減少させた処理を実行することを特徴とする請求項１０に記載の通信処理方法。
【請求項１５】
前記リソース適用率は、ＣＰＵの処理時間およびメモリの使用率を含むものであることを特徴とする請求項１４に記載の通信処理方法。
【請求項１６】
前記通信処理方法は、さらに、
前記主従判断ステップにおける識別情報を通信先端末に対して送信し、識別情報の通知処理を実行するステップを有することを特徴とする請求項１０に記載の通信処理方法。
【請求項１７】
前記通信処理方法は、さらに、
通信先端末から受信する主従判断識別情報に基づいて、前記送信データ処理部および受信データ処理部いずれか一方の重点処理データ処理部に対して処理高品質化命令を出力し、他方のデータ処理部に対して処理簡易化命令を出力するステップを有することを特徴とする請求項１０に記載の通信処理方法。
【請求項１８】
前記通信処理方法は、さらに、
送信データおよび受信データのいずれかを重点処理データとして任意に設定可能なスイッチ手段による重点処理データ設定ステップを有し、
前記制御ステップは、前記スイッチ手段の設定情報に基づいて、前記重点処理データを処理する前記送信データ処理部または受信データ処理部いずれか一方のデータ処理部に対して処理高品質化命令を出力し、他方のデータ処理部に対して処理簡易化命令を出力することを特徴とする請求項１０に記載の通信処理方法。
【請求項１９】
符号化データの通信処理を実行するコンピュータ・プログラムであり、
送信データおよび受信データの比較に基づいて、送信データおよび受信データのいずれかを重点処理データとして識別する主従判断ステップと、
前記主従判断ステップにおける識別情報に基づいて、重点処理データを処理する前記送信データ処理部または受信データ処理部いずれか一方のデータ処理部に対して処理高品質化命令を出力し、他方のデータ処理部に対して処理簡易化命令を出力する制御ステップと、
前記送信データ処理部および受信データ処理部において、前記処理高品質化命令または処理簡易化命令に基づいて送信データの符号化態様、受信データの復号化態様を変更する処理を実行する処理変更ステップと、
を有することを特徴とするコンピュータ・プログラム。
【手続補正２】
【補正対象書類名】明細書
【補正対象項目名】００２１
【補正方法】変更
【補正の内容】
【００２１】
さらに、本発明の通信処理装置の一実施態様において、前記主従判断部は、送信データおよび受信データに含まれる音声データのパワーレベル比較を実行し、パワーレベルが大きい音声データを含む送信データまたは受信データのいずれかを選択して重点処理データとして識別する処理を実行する構成であることを特徴とする。